(57)【要約】【課題】  自重たわみや反りを発生することなく、結像光学系の長手方向における深度方向の相対位置を一定に保つことができる画像読取装置を得る。【解決手段】  被写体に対向して設けられたベースと、このベースに前記被写体に対向して載置され、前記被写体で反射した反射光をコリメートし副走査方向へ傾斜させた略平行光線束として反射する主走査方向に沿ってアレイ状に配置した凹型の第１レンズミラーと、この第１レンズミラーからの光を反射する、主走査方向に延在し、前記ベースに対向して配置された反射板と、前記ベースの主走査方向の端部に載置され、前記反射板を保持する反射板保持部を有するスタンドと、前記ベースの主走査方向の所定の位置に設けられ、前記反射板を支持する間隔保持部材と、を備えた。【選択図】  図９
2015159444.tif 000002
【特許請求の範囲】
【請求項１】
被写体に対向して設けられたベースと、このベースに前記被写体に対向して載置され、前記被写体で反射した反射光をコリメートし副走査方向へ傾斜させた略平行光線束として反射する主走査方向に沿ってアレイ状に配置した凹型の第１レンズミラーと、この第１レンズミラーからの光を反射する、主走査方向に延在し、前記ベースに対向して配置された反射板と、周囲が遮光され選択的に光を通過させる開口部を介して前記反射板からの光を通過させる主走査方向にアレイ状に配置されたアパーチャーと、前記ベースに載置され前記アパーチャーからの光が入射し集束光として反射させる主走査方向にアレイ状に配置した凹型の第２レンズミラーと、この第２レンズミラーからの光を結像する受光部と、前記ベースの主走査方向の端部に載置され、前記反射板を保持する反射板保持部を有するスタンドと、前記ベースの主走査方向の所定の位置に設けられ、前記反射板を支持する間隔保持部材と、を備えた画像読取装置。
【請求項２】
前記間隔保持部材は、前記ベースと前記反射鏡とに固定されている請求項１に記載の画像読取装置。
【請求項３】
前記間隔保持部材は、前記ベースに一体化して形成されている請求項１に記載の画像読取装置。
【請求項４】
前記第１レンズミラーと前記第２レンズミラーとで構成されるレンズミラーの組は、主走査方向に所定の間隔を有して隣接して、副走査方向に互いに千鳥配置で２列配置され、前記間隔保持部材は、主走査方向に隣接する前記レンズミラーの組の間に設けられている請求項１〜３のいずれかに記載の画像読取装置。
【発明の詳細な説明】
【技術分野】
【０００１】
この発明は、ファクシミリ、複写機、スキャナなどに用いられ、原稿を読み取る画像読取装置に関するものである。
【背景技術】
【０００２】
特開２０１３−９３７１２号（特許文献１参照）には、原稿からの光を反射しかつ集光する第１レンズ、反射鏡、第２レンズ、アパーチャとを有し、セル内で上記原稿からセンサＩＣへ向かう光の進行方向において第１レンズ、反射鏡、アパーチャ、第２レンズの順番にこれらを配置しかつ上記アパーチャを上記第１反射鏡の後側焦点位置に配置して上記原稿側にテレセントリックな光学系を形成し、かつ光路を折り曲げる光学素子として上記第１レンズ及び、上記第２レンズのみを設けた画像読取装置が開示されている。
【先行技術文献】
【特許文献】
【０００３】
【特許文献１】特開２０１３−９３７１２号公報
【発明の概要】
【発明が解決しようとする課題】
【０００４】
特許文献１に係る発明は、反射鏡と第１レンズ及び第２レンズとの相対距離を長手方向（主走査方向）におけるどの断面においても精度良く、一定の距離に保つことで、画像情報をセンサＩＣに正確に伝えることが出来る。しかしながら、この相対距離を精度良く一定の距離に保つ具体的な方法が決められておらず、長手方向において自重たわみや反りの影響により焦点位置がばらつき、画像情報が正確に取得できない課題がある。
【０００５】
この発明は上記のような課題を解決するためになされたものであり、自重たわみや反りを発生することなく、結像光学系の長手方向における深度方向の相対位置を一定に保つことができる画像読取装置を得ることを目的とする。
【課題を解決するための手段】
【０００６】
この発明に係る画像読取装置は、被写体に対向して設けられたベースと、このベースに前記被写体に対向して載置され、前記被写体で反射した反射光をコリメートし副走査方向へ傾斜させた略平行光線束として反射する主走査方向に沿ってアレイ状に配置した凹型の第１レンズミラーと、この第１レンズミラーからの光を反射する、主走査方向に延在し、前記ベースに対向して配置された反射板と、周囲が遮光され選択的に光を通過させる開口部を介して前記反射板からの光を通過させる主走査方向にアレイ状に配置されたアパーチャーと、前記ベースに載置され前記アパーチャーからの光が入射し集束光として反射させる主走査方向にアレイ状に配置した凹型の第２レンズミラーと、この第２レンズミラーからの光を結像する受光部と、前記ベースの主走査方向の端部に載置され、前記反射板を保持する反射板保持部を有するスタンドと、前記ベースの主走査方向の所定の位置に設けられ、前記反射板を支持する間隔保持部材と、を備えたものである。
【発明の効果】
【０００７】
この発明は、結像光学系に必要なレンズ及び反射板の深度方向位置を、長手方向のいずれの位置においても、一定の距離に精度良く決めることができる画像読取装置が得られる。
【図面の簡単な説明】
【０００８】
【図１】この発明の実施の形態１に係る画像読取装置の外観図である。
【図２】この発明の実施の形態１に係る照明ユニットの分解図である。
【図３】この発明の実施の形態１に係る照明ユニット端部の分解図である。
【図４】この発明の実施の形態１に係る導光体端部の断面図である。
【図５】この発明の実施の形態１に係る導光体保持材と導光体の分解図である。
【図６】この発明の実施の形態１に係る導光体中心部の拡大図である。
【図７】この発明の実施の形態１に係る導光体保持材と板状部材の分解図である。
【図８】この発明の実施の形態１に係る画像読取装置の第１レンズミラーが副走査方向に重複している箇所の副走査方向断面図である。
【図９】この発明の実施の形態１に係る結像ユニットの分解図である。
【図１０】この発明の実施の形態１に係る結像ユニットの間隔保持部材を含む主走査方向断面図である。
【図１１】この発明の実施の形態１に係る画像読取装置の間隔保持部材を含む副走査方向断面図である。
【図１２】この発明の実施の形態１に係る照明ユニットと結像ユニットの分解図である。
【図１３】この発明の実施の形態１に係るホルダの拡大図である。
【発明を実施するための形態】
【０００９】
実施の形態１．
以下、この発明の実施の形態１について図１〜図１３を用いて説明する。図１は、この発明の実施の形態１に係る画像読取装置の外観図である。図２は、この発明の実施の形態１に係る照明ユニットの分解図である。図３は、この発明の実施の形態１に係る照明ユニット端部の分解図を示しており、図４は、この発明の実施の形態１に係る導光体端部の断面図である。図５は、この発明の実施の形態１に係る導光体保持材と導光体の分解図である。図６は、この発明の実施の形態１に係る導光体中心部の拡大図である。図７は、この発明の実施の形態１に係る導光体保持材と板状部材の分解図である。図８は、この発明の実施の形態１に係る画像読取装置の第１レンズミラーが副走査方向に重複している箇所の副走査方向断面図である。図９は、この発明の実施の形態１に係る結像ユニットの分解図である。図１０は、この発明の実施の形態１に係る結像ユニットの間隔保持部材を含む主走査方向断面図である。図１１は、この発明の実施の形態１に係る画像読取装置の間隔保持部材を含む副走査方向断面図である。図１２、はこの発明の実施の形態１に係る照明ユニットと結像ユニットの分解図である。図１３は、この発明の実施の形態１に係るホルダの拡大図である。図中、同一符号は、同一又は相当部分を示しそれらについての詳細な説明は省略する。
【００１０】
図１において、画像読取装置は、画像読取装置の長手方向（画像読取装置の主走査方向に相当する）に延在し、被写体１に光を放射する照明ユニット１００と、被写体１から反射された光を集光し、センサで原稿の情報を電気信号に変換している結像ユニット１０１から構成されるものである。なお、画像読取装置の長手方向に直交する短手方向は、画像読取装置の副走査方向に相当する。
【００１１】
図１〜図１３において、この発明の実施の形態１に係る画像読取装置は、被写体１に対向して設けられたベース２７と、このベース２７に被写体１に対向して載置され、被写体１で反射した反射光をコリメートし副走査方向へ傾斜させた略平行光線束として反射する主走査方向に沿ってアレイ状に配置した凹型の第１レンズミラー２８と、この第１レンズミラー２８からの光を反射する、主走査方向に延在し、ベース２７に対向して配置された反射板２９と、周囲が遮光され選択的に光を通過させる開口部を介して反射板２９からの光を通過させる主走査方向にアレイ状に配置されたアパーチャー３２ａと、ベース２７に載置され前記アパーチャー３２ａからの光が入射し集束光として反射させる主走査方向にアレイ状に配置した凹型の第２レンズミラー３０と、この第２レンズミラー３０からの光を結像する受光部３１ａと、を備えている。
【００１２】
更に、画像読取装置は、ベース２７の主走査方向の端部に載置され、反射板２９を保持する反射板保持部を有するスタンド３３（３４）と、ベース２７の主走査方向の所定の位置に設けられ、反射板２９を支持する間隔保持部材３５と、を備えている。
【００１３】
照明ユニット１００について、図２〜図７を用いて説明する。照明ユニット１００は、一方に、長手方向に延在する導光体２、３が挿入され、他方に、この導光体２、３の長手方向の端部に対向して設けられた光源４〜７が配置される貫通穴を有し底部に穴部を有する導光体ホルダ８、９を備えている。
【００１４】
図２において、導光体２は、透明な樹脂で成形され、長手方向（「導光体の長手方向」は、画像読取装置の主走査方向に相当する。）に延在し、側面形状が円筒状で端面が円形の柱状のものである。導光体３は、導光体２と長手方向に、ほぼ平行に配列され、照明装置の発光部を構成するものであって、透明な樹脂で成形され、長手方向に延在し、側面形状が円筒状で端面が円形の柱状のものである。導光体２及び導光体３の側面形状は円筒に限ったものではなく、導光体２及び導光体３の長手方向の端部の端面は円形に限らない。
【００１５】
光源４は、導光体２の長手方向の一方の端面に光を入射するＬＥＤ光源などの光源素子である。導光体２の長手方向の他方の端面には光を入射するＬＥＤ光源などの光源素子である光源５が配置されている。光源６は、導光体３の長手方向の一方の端面に光を入射するＬＥＤ光源などの光源素子である。導光体３の長手方向の他方の端面に光を入射するＬＥＤ光源などの光源素子である光源７が配置されている。
【００１６】
図２において、ホルダ８は、光源４が導光体２の長手方向の一方の端面に対向して配置され、長手方向に延在する導光体２の一方の端面を含む端部が挿入され、光源６が導光体３の長手方向の一方の端面に対向して配置され、長手方向に延在する導光体３の一方の端面を含む端部が挿入されたものである。ホルダ９は、光源５が導光体２の長手方向の他方の端面に対向して配置され、長手方向に延在する導光体２の他方の端面を含む端部が挿入され、光源７が導光体３の長手方向の他方の端面に対向して配置され、長手方向に延在する導光体３の他方の端面を含む端部が挿入されたものである。
【００１７】
図３（ａ）、図３（ｃ）、図４において、光学デバイス１０は、ホルダ８の導光体２が挿入される面と反対の面にあるデバイス取付面８ａに接触して配置されるＩＲカットフィルタ等の波長変換性のある薄型の光学デバイスである。光源反射材１４は光源反射材取付面８ｂに接触して配置される円筒形の内面に鏡面反射性の高い光源反射面１４ａ及び長手方向の貫通穴である反射材開口部１４ｂを備えた物である。光源反射材１４の反射材開口部１４ｂは円形に限らない。なお、図３（ｃ）は、ホルダ８のデバイス取付面８ａに光学デバイス１０が取付けられた状態を、短手側から見た平面図である。
【００１８】
図３（ａ）、図４において、鏡面反射性の高い光源反射面１４ａを持ち反射材開口部１４ｂを光源の光放射面である放射面４ａより大きく導光体端面２ａより狭くすることで、光源４から放射された光は、ホルダ内の拡散反射や導光体端面２ａで生じる鏡面反射を抑え効率よく導光体端面２ａに入射させることができる。光学デバイス１０は、反射材開口部１４ｂが導光体端面２ａより狭いため、導光体端面２ａ全面を覆うよりも狭い面積のものを適用することができるため、光学デバイス１０と光源反射材１４を用いることで光源４からの光を効率よく供給しつつ低コスト化を図ることができる。
【００１９】
図３（ｂ）において、光源反射材１４はホルダ８のデバイス取付面８ａ側の光源反射材固定部８ｇに圧入して固定される。光源反射材固定部８ｇの光源反射材１４が圧入される寸法は光源反射材１４の外形より小さいものとし、光源反射材１４を配置することで、光学デバイス１０の長手方向の固定も行なうことができる。
【００２０】
図５、図６において、導光体保持材２２は長手方向に延在し、導光体２及び導光体３を固定するための導光体保持部２２ａ及び２２ｂを有している。導光体２及び導光体３は長手方向中央基準２ｄ、３ｄでそれぞれ導光体保持部２２ａ、２２ｂと係合して導光体保持材２２に固定され、材料の熱線膨張係数の差により長手方向中央基準で導光体２及び３と光源４、５、６、７との距離関係が変わるようになっており、温度変化時にも部品が干渉しないような位置関係としている。
【００２１】
導光体保持材２２は、導光体２の光散乱領域２ｃ、３ｃから透過した光を反射して、導光体２、３に再入射させる役割があり、白色樹脂、アルミなどの反射率の高い材料が望ましいが、必要な照度に応じて、黒色樹脂等の反射率の低い材料と、光散乱領域２ｃ、３ｃの直下のみ白色塗装、白色テープ、白色樹脂材、光反射金属テープ等を用いてもよい。
【００２２】
導光体保持材２２は、長手方向両端部にホルダ８及び９と短手方向及び高さ方向の位置決めを行なう位置決め部２２ｃ及び２２ｄを有する。位置決め部２２ｃは、ホルダ８の位置決め穴８ｃに挿入され、位置決め部２２ｄはホルダ９の位置決め穴９ｃに挿入される。これにより、光源４、５、６、７と導光体２、３と導光体保持材２２との短手方向及び高さ方向をすべてホルダ８、９を基準に組立てることができるため、光放射に関する部品の相対位置を精度良く組立てることができる。位置決め部２２ｃ及び２２ｄは、導光体２と導光体３との間隔の中央に設けられている。
【００２３】
また、導光体保持材２２は、位置決め部２２ｃ及び２２ｄを結ぶ線上、即ち導光体２と導光体３との間隔の中央を中心線として主走査方向に延在し、導光体２、３の保持側からその反対側へと貫通する長方形の開口部２ｅを有している。この開口部２ｅは、被写体１から反射された光を照明ユニット１００側から撮像ユニット１０１へ貫通させる孔である。
【００２４】
図７において、板状部材２３は、長手方向両端部を折り曲げられた板金部材である。板状部材の短手方向中央における長手方向に延在する開口部２３ａは被写体１から反射された光を照明ユニット１００側から撮像ユニット１０１へ貫通させる孔である。
【００２５】
図４に示すように、ホルダ８、（９）に取り付けられた光源基板１８、（１９）及び光源基板１８、（１９）に取り付けられた伝熱体２０、（２１）は光源基板がとりつけられた面とは反対側を板金部材２３の両端部である伝熱面２３ｂ、（２３ｃ）にねじ２４にて取り付ける。ねじ２４はホルダ８、（９）を板金部材２３の両端部である伝熱面２３ｂ、（２３ｃ）側（長手方向両端部側）に固定することで、板状部材２３は光源基板１８、（１９）からの伝わる熱を広い面積に拡散するために熱伝導率のよい金属板金材料を用いる。板状部材２３の短手方向両端部側にも熱拡散面積を広げ放熱性を向上させるために曲げ部を設けてもよい。
【００２６】
図２において、遮光材２５、２６は、導光体２、３から放射され導光体保持部２２ａ及び２２ｂを通り開口部２３ａに入る光を遮光するものである。遮光材２５、２６は遮光性の高い両面粘着シートにすることで導光体保持材２２を板状部材２３に固定する役割を担うことができるため、新たに転結部材を必要とせず低コスト化を図ることができる。
【００２７】
結像ユニット１０１について、図８〜図１２を用いて説明する。図８において、結像ユニット１０１はベース２７上に、凹型の第１レンズミラー２８、反射板２９、凹型の第２レンズミラー３０、センサ基板３１を有し、長手方向に延在する画像情報読取部である。
【００２８】
反射板２９は、短手方向（副走査方向）の中央部に長手方向（主走査方向）に延在する光透過部２９ｂと、この光透過部の両側に長手方向に延在する光反射部２９ａを備える。
【００２９】
被写体１から反射された光は、開口部２３ａ、光透過部２９ｂを通り第１レンズミラー２８にて集光される。第１レンズミラー２８から反射された光は反射部２９ａで反射し第２レンズミラーにてさらに集光されセンサ基板３１の受光部３１ａにて画像情報を読み取り、電気信号に変換している。
【００３０】
センサ基板３１はセンサ基板ホルダ３２上に固定され高さ方向及び短手方向の位置決めを行なっている。センサ基板ホルダは、反射部２９ａから第２レンズミラーの間に画像読取範囲を決めるアパーチャー部３２ａを有している。第１レンズミラー２８及び第２レンズミラー３０はともにベース２７上に配置されているため、集光させるレンズミラー面のみ反射率の高い材料があれば、第１レンズミラー２８及び第２レンズミラー３０を分けなくても良い。また、ベース上にレンズミラー形状を形成し、ベース２７と第１レンズミラー、第２レンズミラーを一体化してもよい。第１レンズミラー２８、反射部２９ａ、第２レンズミラー３０と繰返し反射させ光路を長くすることで、省スペース化を図りつつ、読取装置からの焦点深度を大きく確保することができる。
【００３１】
図９において、第１レンズミラー２８及び第２レンズミラー３０及び受光部３１ａは、長手方向に複数個２列ずつ配置されている。長手方向に複数個２列ずつ配置されている第１レンズミラー２８及び第２レンズミラー３０の組は、お互いの組が千鳥配置で長手方向に複数個２列ずつ配置されている。受光部３１ａは、長手方向において離散的な配置としており、第１レンズミラー２８及び第２レンズミラー３０もその対応した受光部３１ａにのみ画像情報を受光させることで、良好な画像情報を得ることができる。したがって、第１レンズミラー２８及び第２レンズミラー３０は受光部毎に長手方向に区切り、センサ基板ホルダにて長手方向に隣り合うレンズミラーに干渉しないよう壁を設けている。
【００３２】
受光部３１ａは、長手方向に離散的になっているが、短手方向に２列の読取を行なうことで、長手方向の画像情報を重複して入手することができ、受光される画像情報を補完しあうことができ、さらに良好な画像情報を得ることができる。また、第１レンズミラー２８及び第２レンズミラー３０を長手方向に複数個配置し、１個あたりの長手方向の長さを短くすることで、熱線膨張によるレンズミラーの歪みを抑えることができるため、熱変化が生じた場合でも良好な画像情報を得ることができる。
【００３３】
図９において、スタンド３３、３４は、ベース２７の長手方向両端部に対向して配置されている。スタンド３３、３４は、高さ方向原稿面側及びベース側にそれぞれ位置決めボス３３ａ、３３ｂ、３４ａ、３４ｂ及び３３ｄ、３３ｅ、３４ｄ、３４ｅを有し、照明ユニット１００とベース２７の短手方向及び長手方向の位置決めを精度良く行なうことができる。また、スタンド３３、３４は、ベース２７と反射板２９及び照明ユニット１００との高さ方向の相対的な位置を決めている。スタンド３３、３４とベース２７は一体化しても良い。
【００３４】
図９、図１０において、間隔保持部材３５は、ベース２７のスタンド３３とスタンド３４との間の長手方向中央部に配置されている。間隔保持部材３５は、主走査方向に隣接する第１レンズミラー２８及び第２レンズミラー３０の組の間に設けられている。すなわち、図１１に示すように、間隔保持部材３５は千鳥配置されている第１レンズミラー２８及び第２レンズミラー３０の組に対して、副走査方向に対向して配置されている。間隔保持部材３５は、ベース２７と反射板２９とに固定されており、スタンド３３、３４同様、ベース２７と反射板２９との高さ方向の相対位置を決めている。間隔保持部材３５はベース２７と一体化しても良い。また、図９では、間隔保持部材３５は長手方向に一対設けているが、複数設けても良い。
【００３５】
長手方向に延在するベース２７及び反射板２９は、自重たわみや反りの影響で両端部と中央部のベース２７上に配置された第１レンズミラー２８及び第２レンズミラー３０と反射板２９との相対距離が異なってしまう。間隔保持部材３５は、自重たわみや反りが発生した場合でも、両端部及び中央部においてベース２７と反射板２９との相対距離を一定に保つことができる。間隔保持部材３５とベース２７及び反射板２９との固定方法は問わない。
【００３６】
図１２において、図１２（ａ）は、照明ユニット１００と結像ユニット１０１とが結像し、画像読取装置として完成した図であり、図１２（ｂ）は、照明ユニット１００と結像ユニット１０１とが分離しており、結合の様子を示す図である。図１２において、位置決めボス３４ａは、ホルダ９に設けられた位置決め穴９ｅに挿入される。位置決めボス３４ｂは、ホルダ９に設けられた位置決め穴９ｆに挿入される。位置決めボス３４ａ、３４ｂ及び位置決め穴９ｅ、９ｆは、図８で示すように、被写体１で反射された散乱光の光軸が、第１レンズミラー２８を通るように位置決めされている。スタンド３３とホルダ８も同様である。これによって、スタンド３３、３４とホルダ８、９の長手方向及び短手方向の位置を精度良く組立てることができる。
【００３７】
図１３（ａ）、（ｂ）において、切欠き部８ｈは光源基板１８に電力を供給するケーブル３６を配線させるホルダ８に設けた溝である。切欠き部８ｈは、ホルダ８の副走査方向の側壁部に、主走査方向に貫通し、副走査方向に延在する形状を成している。切欠き部８ｈはホルダ８の外形から出ないようにケーブル３６を配線させることで、ホルダ８の固定機能を維持したまま光源基板１８の外形を小さくすることができるため、照明ユニット１００の外形サイズを極力小さくすることを可能とさせる。切欠き部８ｈの幅はケーブル３６のサイズに依存するが、ケーブル３６の太さより小さくすることで、ホルダ８の弾性によるばね効果を使用してケーブル３６を固定しても良い。この場合、光源基板１８に限りなく近い箇所でケーブル３６を固定することができるため、画像読取装置を駆動させる際にケーブル３６と光源基板１８の連結部にかかる慣性力をホルダ８で受けることができるため、部品数を増やさずに高速駆動にも耐えることが出来る。
【００３８】
この発明の実施の形態１に係る画像読取装置の動作について説明する。導光体２、３からの光が被写体１に照射される。被写体１で反射された散乱光は、凹型の第１レンズミラー２８にて、副走査方向の一方側（図８においては、例えば紙面右方向）に傾斜させてコリメートした光として反射される。第１レンズミラー２８からの光は、反射板２９にて副走査方向の一方側に傾斜させて反射される。反射板２９からの光は、アパーチャー３２ａに略平行光線束が照射される。さらにアパーチャー３２ａから放射する光は第２レンズミラー３０にて副走査方向の一方側に傾斜させて反射され、光束ごとに受光部３１ａに入射するので画像情報は受光部３１ａの受光面では倒立像となって結像する。なお、副走査方向の他方側（図８においては、例えば紙面左方向）に傾斜させた光も同様の動作で結像する。
【００３９】
次に、この発明の実施の形態１に係る画像読取装置の製造方法を説明する。この製造方法の基本構成（基本工程）は、以下の通りである。光源基板組立工程、照明ユニット組立工程、結像ユニット組立工程、画像読取装置組立工程を経て製造される。これらの工程のうち、光源基板組立工程、照明ユニット組立工程、結像ユニット組立工程は、画像読取装置組立工程の前に行う必要がある。各工程の説明は、この発明の実施の形態１に係るイメージセンサの主走査方向における対照性及び副走査方向における対照性から、一部の説明は、片側の構成要素を用いて説明する。
【００４０】
光源基板組立工程は、光源基板１８に光源４を実装する。光源を実装する数量は必要な光量によって変更してもよい。また、単色光源を用いて必要な光を配色しても良い。伝熱体２０は、光源基板１８の光源４を実装する面と対向する側に配置する。伝熱体２０はシートのような固形物ではなく、液状の材料でも良い。
【００４１】
照明ユニット組立工程は、ホルダ８の光源基板１８を配置する面と対向する側の面に形成された導光体挿入孔８ｄに導光体２の導光体端面２ａを含む端部を挿入し嵌め合わせることによって、導光体２における角度及び高さ方向及び短手方向の位置決めを行なう。これにより導光体２は被写体１に照射する光量及び光量分布を決めている。
【００４２】
ホルダ８の導光体２を挿入する側と対向する側に、光学デバイス１０をデバイス取付面８ａに光源反射材１４を光源反射取付面８ｂに固定する。ホルダ８には光源反射材１４の外形より狭くなるような突起状の光源反射材固定部８ｇを設けることで光源反射材１４を圧入にてホルダ８に固定することが出来る。これにより、接着もしくは両面テープ等にて固定する接着を必要とせず、照明ユニット１００の主走査方向外形を小さくすることが出来る。光学デバイス１０、光源反射材１４の順でホルダ８に取り付けることによって、光源４の放射面４ａから放射する光を光学反射面１４ａで反射させるため、光学デバイス１０の必要な面積は反射材開口部１４ｂを十分に覆う面積さえ確保すればよくなり、導光体端面２ａの面積より狭くすることができる。これにより、光学デバイス１０を導光体端面２ａの面積より広くしていた従来より安価にすることができる。
【００４３】
光源基板１８は、光源４が実装された面側をホルダ８側にして配置する。光源基板１８は、ホルダ８の位置決めピン８ｇと光源基板１８の位置決め穴１８ａを嵌め合わせることで高さ及び短手方向の位置決めを行なう。
【００４４】
導光体２の両端部を除く長手方向中央部は、導光体保持材２２に取り付けられる。このとき導光体保持部２２ａに導光体固定部２ｄが勘合することにより、導光体中央の角度及び長手方向位置及び短手方向位置が決まる。導光体保持材２２の導光体保持材位置決め部２２ｃは、ホルダ８の保持材勘合部８ｃに勘合され、短手方向及び深度方向の位置が決まる。これによって導光体保持材２２を介して導光体中央部の位置がホルダ８の位置によって規制される。
【００４５】
次に導光体保持材２２に遮光材２５、２６を組付け板金部材２３に配置する。板金部材２３の内部両端に配置された光源基板１８と片面側に位置している伝熱体２０とホルダ８をねじ２４を用いて転結する。このとき、導光体端面２ａと光学デバイス１０との距離が確保され、線膨張差による部品干渉を生じさせないような距離の位置になる。同様に、導光体保持材２２とホルダ８との距離が確保され、線膨張差による部品干渉を生じさせない位置になる。
【００４６】
結像ユニット組立工程は、ベース２７に第１レンズミラー２８、第２レンズミラー３０、センサ基板ホルダ３２、スタンド３３、及び間隔保持部材３５を固定し、センサ基板ホルダ３２にセンタ基板３１を固定し、スタンド３３及び間隔保持部材３５に反射板２９を固定したものである。第１レンズミラー２８及び第２レンズミラー３０は長手方向に複数個２列ずつ配置することで、第１レンズミラー２８及び第２レンズミラー３０が温度変化によって歪む変形量を小さくすることができる。第１レンズミラー２８の位置決めピン２８ａ、２８ｂはベース２７の位置決め穴２７ａ及び位置決め長穴２７ｂに嵌めあうことで、第１レンズミラー２８の長手方向及び短手方向の位置決めを行なう。
【００４７】
第１レンズミラー２８及び第２レンズミラー３０は長手方向に同数配置され、短手方向に同じ位置にある第１レンズミラー２８と第２レンズミラー３０は同部品としても良い。第１レンズミラー２８及び第２レンズミラー３０は短手方向中心を境に対象でなくても良い。スタンド３３は、位置決めボス３３ｄ、３３ｅとベース２７の位置決め穴２７ｃ、２７ｄに嵌めあうことで、長手方向及び短手方向の位置決めを行なう。
【００４８】
スタンド３３のベース２７と対向した側に位置している反射板保持部３３ｃは、反射材２９の短手方向端面と勘合することで短手方向の位置が決まる。反射材２９の深度方向の固定はテープ、接着剤等を用いても良いが、スタンド３３にばね材等を用いて固定してもよい。また、照明ニット１００の板状部材２３の導光体２を配置する面とは逆の面側で固定しても良い。
【００４９】
間隔保持部材３５は、ベース２７のスタンド３３とスタンド３４との間の長手方向中央部に固定する。間隔保持部材３５は、主走査方向に隣接する第１レンズミラー２８及び第２レンズミラー３０の組の間に設けている。すなわち、図１１に示すように、間隔保持部材３５は千鳥配置されている第１レンズミラー２８及び第２レンズミラー３０の組に対して、副走査方向に対向して配置している。間隔保持部材３５は、ベース２７と反射板２９とに固定されており、スタンド３３、３４同様、ベース２７と反射板２９との高さ方向の相対位置を決めている。間隔保持部材３５はベース２７と一体化しても良い。また、図９では、間隔保持部材３５は長手方向に一対設けているが、複数設けても良い。
【００５０】
画像読取装置組立工程は、スタンド３３の位置決めボス３３ａ、３３ｂを、ホルダ８の位置決め穴８ｅ、位置決め８ｆに挿入することで、照明ユニット１００と結像ユニット１０１の短手方向及び長手方向の位置決めを行なう。深度方向は照明ユニット側からねじ等の転結部材を用いても良いが、使用方法によってはテープ等の接着でも良い。これによって、ホルダ８を基準に照明ユニット１００と結像ユニット１０１が組立てられ、被写体１に照射する光源側と被写体１から反射される光を結像する側の短手方向の位置決めが精度良く行なわれ、良好な画像情報を読み取ることができる。
【００５１】
このように、この発明の実施の形態１の画像読取装置を組立てる場合であっても照明光源と結像光学系の副走査方向及び深度方向位置を精度良く決めることができる画像読取装置を得ることができる。
【符号の説明】
【００５２】
１  被写体（原稿）
２  導光体
２ａ  導光体端面
２ｂ  導光体端面
２ｃ  光散乱領域
２ｄ  導光体固定部
３  導光体
３ａ  導光体端面
３ｂ  導光体端面
３ｃ  光散乱領域
３ｄ  導光体固定部
４  光源
４ａ  放射面
５  光源
５ａ  放射面
６  光源
６ａ  放射面
７  光源
７ａ  放射面
８  ホルダ
８ａ  デバイス取付面
８ｂ  光源反射材取付面
８ｃ  保持材勘合部
８ｄ  導光体挿入孔
８ｅ  位置決め穴
８ｆ  位置決め穴
８ｇ  光源反射材固定部
８ｈ  切欠き部
９  ホルダ
９ａ  デバイス取付面
９ｂ  光源反射材取付面
９ｃ  保持材勘合部
９ｄ  導光体挿入孔
９ｅ  位置決め穴
９ｆ  位置決め穴
９ｇ  光源反射材固定部
９ｈ  切欠き部
１０  光学デバイス
１１  光学デバイス
１２  光学デバイス
１３  光学デバイス
１４  光源反射材
１４ａ  光学反射面
１４ｂ  反射材開口部
１５  光源反射材
１５ａ  光学反射面
１５ｂ  反射材開口部
１６  光源反射材
１６ａ  光学反射面
１６ｂ  反射材開口部
１７  光源反射材
１７ａ  光学反射面
１７ｂ  反射材開口部
１８  光源基板
１９  光源基板
２０  伝熱体
２１  伝熱体
２２  導光体保持材
２２ａ  導光体保持部
２２ｂ  導光体保持部
２２ｃ  位置決め部
２２ｄ  位置決め部
２２ｅ  開口部
２３  板状部材
２３ａ  開口部
２３ｂ  伝熱面
２３ｃ  伝熱面
２４  ねじ（転結部材）
２５  遮光材
２６  遮光材
２７  ベース
２７ｃ、２７ｄ、２７ｅ、２７ｆ  位置決め穴
２８  第１レンズミラー
２９  反射板
３０  第２レンズミラー
３１  センサ基板
３１ａ  受光部
３２  センサ基板ホルダ
３２ａ  アパーチャー部
３３  スタンド
３３ａ  位置決めボス
３３ｂ  位置決めボス
３３ｃ  反射材保持部
３３ｄ  位置決めボス
３３ｅ  位置決めボス
３４  スタンド
３４ａ  位置決めボス
３４ｂ  位置決めボス
３４ｃ  反射材保持部
３４ｄ  位置決めボス
３４ｅ  位置決めボス
３５  間隔保持部材
３６  ケーブル
１００  照明ユニット
１０１  結像ユニット
【図１】
2015159444.tif 000003
【図２】
2015159444.tif 000004
【図３】
2015159444.tif 000005
【図４】
2015159444.tif 000006
【図５】
2015159444.tif 000007
【図６】
2015159444.tif 000008
【図７】
2015159444.tif 000009
【図８】
2015159444.tif 000010
【図９】
2015159444.tif 000011
【図１０】
2015159444.tif 000012
【図１１】
2015159444.tif 000013
【図１２】
2015159444.tif 000014
【図１３】
2015159444.tif 000015